(57)【特許請求の範囲】
【請求項１】
縦長の主引き出しを備えた厨房家具であって、主引き出しの上部内に別途設置高さを予め可変とした内引き出しを設け、主引き出しと内引き出しの前板間に可変とした夫々の高さに対応できる一の掛止手段を設けて同時或いは主引き出しのみを引き出すことを可能としたことを特徴とする厨房家具の収納構造。
【請求項２】
最下段を主引き出しとした複数段の引き出しを備え、主引き出しの上部内に別途内引き出しを設けたことを特徴とする請求項１記載の厨房家具の収納構造。
【請求項３】
掛止手段の操作部を主引き出し前板の把手或いは主引き出しの上部に設けたことを特徴とする請求項１または請求項２記載の厨房家具の収納構造。
【請求項４】
主引き出しの裏面或いは内引き出しの前面の少なくとも一方に掛止手段を避けた弾性体を設け、掛止手段にて主引き出しと内引き出しを一体としたときに弾性体を介して主引き出しと内引き出しの前板同士が密着するようにしたことを特徴とする請求項１、請求項２または請求項３記載の厨房家具の収納構造。
【発明の詳細な説明】
【０００１】
【発明の属する技術分野】
この発明は、システムキッチンや流し台などの厨房家具の収納構造に関するものである。
【０００２】
【従来の技術】
近時のシステムキッチンや流し台の収納構造としては、特開２０００−２３６９６４や意匠登録第１０７８１３５号公報等に示すようにシンク下やコンロ下のキャビネットに大型の引き出しを多段に配して収納する構造が普及している。
図１３はキャビネットに物品を収納した状態を示すもので、通常上段には使用頻度の多い物品を収納し、下段には使用頻度の少ない物品を収納することが想定されている。しかし、下段の引き出しの高さでは深型の大鍋や買い置き保存するペットボトルなどは、使用頻度が低くても上段引き出しに収納せざるを得ないものとなり、この状態では深型の大鍋は取り出しにくく使い勝手が悪かった。
【０００３】
また、図１４のように大型引き出しの内部に別途トレイに近い内引き出しを設けて小物を収納する構造もある。しかし、この内引き出しははじめに大型引き出しを引き出し、その後内引き出しを引き出すいわゆる二段モーションとなり使い勝手が必ずしも良くなかった。
【０００４】
【発明が解決しようとする課題】
本発明は、以上のような従来構造の問題点に鑑み、キャビネット内の収納量を高めること、物品の使用頻度と大きさによって合理的且つ使い勝手良く収納できること、更に、内引き出しをワンモーションで引き出して使用できる引き出し式の収納構造を提供しようとするものである。
【０００５】
【課題を解決するための手段】
上記課題を解決するため請求項１の発明の要旨とするのは、縦長の主引き出しを備えた厨房家具であって、主引き出しの上部内に別途設置高さを予め可変とした内引き出しを設け、主引き出しと内引き出しの前板間に可変とした夫々の高さに対応できる一の掛止手段を設けて同時或いは主引き出しのみを引き出すことを可能としたことを特徴とするものである。
請求項２の発明は、最下段を主引き出しとした複数段の引き出しを備え、主引き出しの上部内に別途内引き出しを設けた厨房家具の収納構造である。
請求項３の発明は、掛止手段の操作部を主引き出し前板の把手或いは主引き出しの上部に設けたことを特徴とするものである。
請求項４の発明は、主引き出しの裏面或いは内引き出しの前面の少なくとも一方に掛止手段を避けた弾性体を設け、掛止手段にて主引き出しと内引き出しを一体としたときに弾性体を介して主引き出しと内引き出しの前板同士が密着するようにしたことを特徴とするものである。
【０００６】
【発明の実施の形態】
図１は、この発明に係る収納構造を採用した複合厨房家具１の正面から見た斜視図である。この複合厨房家具１は、それぞれ単体としての厨房家具である左よりコンロキャビネット２、調理台キャビネット３、シンクキャビネット４及び調理台キャビネト５を並列させ、コンロ６及びシンク７を組み込んだテーブルトップ８を被せて構成したものである。
コンロキャビネット２では単に二段の引き出しを備えるようにしている。
調理台キャビネット３は全体として三段の引き出しを、シンクキャビネット４は前幕板９を備えるので二段の引き出しを備え、調理台キャビネット５では二段の引き出しを備えるようにしている。
各キャビネット２、３、４、５では収納スペースを広くすべく蹴込の奥を含んだ下段の引き出しを備えるようにしてあるが、この発明に係る収納構造は、調理台キャビネット３、５及びシンクキャビネット４に採用している。すなわち、夫々の下段に縦長の主引き出し１０を設けるようにしてある。
【０００７】
主引き出し１０のスペースの上部内に別途内引き出し１１を設け、主引き出し１０と内引き出し１１の夫々の前板１２、１３間に掛止手段１４を設けて、主引き出し１０と内引き出し１１を同時（図２参照）或いは主引き出し１０のみを引き出す（図３）ことを可能とするようにしてある。
内引き出し１１は図４及び図５の鎖線で示すように三段階に設置高さが選択できるようにしてある。
【０００８】
次に、掛止手段１４及び内引き出し１１の高さ調整の具体的な手段について図６乃至図９によって説明する。
主引き出し１０の把手１５は前板１２上部で挟み込みかつ上部に断面ほぼＪ形となる手掛けを形成したアルミニウムの押出成形品からなり、前板１２と一体になるよう取り付けてある。
掛止手段１４は、主引き出し１０の前板１２と内引き出し１１の前板１３に跨がるもので、この実施の形態では把手１５の中央に先端を下向きの傾斜面とした操作部としての押しボタン１４１、押しボタン１４１の先端を受け入れる箱形金具１４２、箱形金具１４２に下から挿入して押しボタン１４１の傾斜面を受け入れる窓穴１４３を備えた上下動するベース金具１４４、ベース金具１４４を下方に付勢する一端を主引き出し１０の前板１２裏面に固定する引っ張りバネ１４５及びベース金具１４４に取り付け内引き出し１１の前板１３の内側に掛け止める爪片１４６を備えた掛止金具１４７からなるものである。
爪片１４６は常態では下向きとなる直角の当接面を備え、反対には傾斜面となるようにし、図示しないバネにより当接面が直角となるように付勢しかつ当接面が手前側にのみ倒伏自在としてある（図７矢印参照）。
掛止金具１４７の取り付け位置を変えられるように三箇所のビス穴１４４ａをベース金具１４４に設けるようにしてある。
【０００９】
主引き出し１０裏面の掛止手段１４のベース金具１４４を覆う断面ハット型の金属ケース１６を設けて内引き出し１１がベース金具１４４に衝突しないように構成し、この金属ケース１６或いは内引き出し１１の前板１３前面の金属ケース１６に対応する箇所にゴムや合成樹脂製などの緩衝体１７を介して当接させるようにして衝突音を減衰させるとともに内引き出し１１が反発して離反しないようにしてある（図５乃至図７参照）。
なお、緩衝体１７は図８に示すように、掛止手段１４のベース金具１４４から離れた箇所で主引き出し１０の前板１２裏面の左右に取り付け配置するようにしても良い。さらには、緩衝体１７を内引き出し１１の前板１３の前面に設けたり、主引き出し１０と内引き出し１１のそれぞれの前板１２、１３に対向するように配置することもできる。
【００１０】
常態では図５、図６に示すように、ベース金具１４４が下降して、押しボタン１４１の傾斜面の先端部が窓穴１４３の上縁部に掛かっており、掛止金具１４７の爪片１４６が内引き出し１１の前板１３内縁に掛かっているので、主引き出し１０を引くと同時に内引き出し１１が引き出されることになる。
使用者が、主引き出し１０に納められた物品を取り出したい場合には、押しボタン１４１を押して把手１５を引くようにする。押しボタン１４１を押すとその先端の傾斜面がベース金具１４４の窓穴１４３内に入り込みベース金具１４４を上昇させることになり、掛止金具１４７も上昇して内引き出し１１の前板１３内縁に掛かっている爪片１４６が離れることになる。そこで、主引き出し１０のみ引き出され、内引き出し１１は残ることになる。
【００１１】
内引き出し１１の高さを使用者の選択に応じて簡単に変更することができるようにするため、調理台キャビネット３、５及びシンクキャビネット４の側板に予めビス穴１８を穿っておき掛止金具１４７のビス穴１４４ａに対応させるようにする。ビス穴１８に代えて鬼目ナットを埋め込むようにしても良い。
図１０はビスにて取り付ける引き出し用のスライドレール１９を示す断面図である。
【００１２】
図１１は、主引き出し１０と内引き出し１１への掛止手段１４の別の実施の形態を示す概略平面図である。
主引き出し１０の前板１２の前面上部に押しボタン２０を設け、前板１２の裏面に押しボタン２０の先端が入るケース２１を設け、押しボタン２０の先端を傾斜面とし、ケース２１内に同じく斜面にて接触する従動体（図示せず）を内装し、この従動体に鉤片２２を設け、一方、内引き出し１１の前板１３の上端には鉤片２２を受け入れる突起を備えた被掛止金具２３を設けるようにしている。ケース２１内には直角方向への変向機構を設けるようにするものといえる。
そして、常態では鉤片２２が被掛止金具２３を抱持することで主引き出し１０を引き出すと同時に内引き出し１１も引き出され、主引き出し１０のみを引き出すときは、押しボタン２０を押すことで鉤片２２が被掛止金具２３から離れ内引き出し１１はキャビネット内にとどまった儘主引き出し１０のみが引き出されることになる。なおバネなどの弾性手段により常態へ付勢するようにしておくことが望ましい。
【００１３】
図１２は、主引き出し１０と内引き出し１１への掛止手段１４のさらに別の実施の形態を示す概略平面図である。
図１１の実施の形態との違いは押しボタン２０の押圧を鉤片２２の揺動とするもので、鉤片２２を支点をもって取り付けるようにし、押圧することで被掛止金具２３より外すようにすれば足りるので詳細な説明は省略する。
掛止手段１４については、主引き出し１０と内引き出し１１を常態では繋げ、主引き出し１０の前面より操作することで主引き出し１０と内引き出し１１を外すようにすることができれば良いものである。
実施の形態においては、押しボタンによるものを示したが、例えばコ字状の把手そのものをボタンとしたり、スライド自在として繋げたり外したりする構造とすることもできる。
これまでの実施の形態では複数段の引き出しとして下段に主引き出し１０を設けるようにしたものが、キャビネットに一の引き出しのみを設けて主引き出し１０としても良い。
この発明に係る収納構造は、台所に設置される厨房家具に限らず、一般的な収納家具についても採用することが可能である。
【００１４】
【発明の効果】
請求項１の発明では、縦長の主引き出しを備えた厨房家具で、主引き出しの上部内に別途内引き出しを設け、主引き出しと内引き出しの前板間に掛止手段を設けて同時或いは主引き出しのみを引き出すことを可能としたので、使用頻度の高いものは内引き出しに入れてもワンモーションで簡単に引き出すことができるので、使い勝手のよい内引き出しを有効に活用できるのである。また外観上は一の引き出しとしても複数段の引き出しとなるものである。
加えて、内引き出しの設置高さを予め可変とし、その可変とした夫々の高さに対応できる一の掛止手段を主引き出し及び内引き出しの前板に設けるようにしたので、使用者の生活習慣に合わせた収納プランを予め選択できると共に、設置後に内引き出しの高さを簡単に変更することも可能となるのである。
請求項２の発明では、最下段を主引き出しとした複数段の引き出しを備え、主引き出しの上部内に別途内引き出しを設けたので、上部の引き出しの使い勝手を生かしながら、中段の引き出しを備えることになるのである。
【００１５】
請求項３の発明は、掛止手段の操作部を主引き出し前板の把手或いは主引き出しの上部に設けるようにしたので、操作が簡単となるのである。
請求項４の発明は、主引き出しの裏面或いは内引き出しの前面に掛止手段を避けた弾性体を設け、掛止手段にて主引き出しと内引き出しを一体としたときに弾性体を介して主引き出しと内引き出しの前板同士が密着するようにしたので、主引き出しと内引き出しを同時に引き出すときの動きがスムースで、衝突音も発生しないことになる。
【図面の簡単な説明】
【図１】  この発明に係る収納構造を採用した複合厨房家具の正面から見た斜視図である。
【図２】  主引き出しと内引き出しと同時引き出す状態の概略図である。
【図３】  主引き出しのみを引き出している状態の概略図である。
【図４】  この発明に係る収納構造での収納状態の概略図である。
【図５】  この発明に係る収納構造の概略断面図である。
【図６】  常態での掛止手段を示す側面図である。
【図７】  主引き出しのみを引き出す場合の側面図である。
【図８】  緩衝体の取り付け配置の別の実施形態を示す要部断面図である。
【図９】  押しボタンとベース金具を示す斜視図である。
【図１０】  引き出しのスライドレールを示す要部断面図である。
【図１１】  掛止手段の別の実施形態を示す要部平面図である。
【図１２】  さらに別の掛止手段の実施形態を示す要部平面図である。
【図１３】  従来の収納構造を示す概略断面図である。
【図１４】  従来の内引き出しを設けた収納構造の斜視図である。
【符号の説明】
１  複合厨房家具
２  コンロキャビネット
３、５  調理台キャビネット
４  シンクキャビネット
６  コンロ
７  シンク
８  テーブルトップ
９  前幕板
１０  主引き出し
１１  内引き出し
１２、１３  前板
１４  掛止手段
１６  金属ケース
１７  緩衝体
１８  ビス穴
１９  スライドレール
【図１】
0004456251.tif 000002
【図２】
0004456251.tif 000003
【図３】
0004456251.tif 000004
【図４】
0004456251.tif 000005
【図５】
0004456251.tif 000006
【図６】
0004456251.tif 000007
【図７】
0004456251.tif 000008
【図８】
0004456251.tif 000009
【図９】
0004456251.tif 000010
【図１０】
0004456251.tif 000011
【図１１】
0004456251.tif 000012
【図１２】
0004456251.tif 000013
【図１３】
0004456251.tif 000014
【図１４】
0004456251.tif 000015